(57)【要約】【課題】磁性物質を含む材料へ任意に吸着させることができるため利便性に優れ、かつ占有空間が小さい多用途置物ラックを提供する。【解決手段】  多用途置物ラックは、ベースボディ１、ストッパ部２及び磁石３を備える。ベースボディ１は、周囲に環設された円弧状の側壁１１により形成された収納部１１１を有する。収納部１１１上には、複数の収納槽１２及び複数の組立孔が設けられる。収納槽１２内の上端には、爪部が設けられる。組立孔には、締結部材１３１がそれぞれ配置され、締結部材１３１がストッパ部２にそれぞれ貫設され、対応するように磁石３が配置されて固定され、螺設部材１４を螺合させる。【選択図】図１
0003177877.tif 000002
【実用新案登録請求の範囲】
【請求項１】
ベースボディ、ストッパ部及び磁石を備えた多用途置物ラックであって、
前記ベースボディは、周囲に環設された円弧状の側壁により形成された収納部を有し、前記収納部上には、複数の収納槽及び複数の組立孔が設けられ、前記収納槽内の上端には、爪部が設けられ、前記組立孔には、締結部材がそれぞれ配置され、前記締結部材が前記ストッパ部にそれぞれ貫設され、対応するように磁石が配置されて固定され、螺設部材を螺合させることを特徴とする多用途置物ラック。
【請求項２】
前記ストッパ部は、固定板を含み、
前記固定板上に設けられた複数の穿設孔に、前記ベースボディ上の前記締結部材を貫設させて前記螺設部材を螺合させることを特徴とする請求項１に記載の多用途置物ラック。
【請求項３】
前記固定板は、Ｌ字状であり、磁性物質を含む材料からなることを特徴とする請求項２に記載の多用途置物ラック。
【請求項４】
前記締結部材はボルトであり、
前記螺設部材はナットであり、
前記磁石は強力磁石であることを特徴とする請求項２に記載の多用途置物ラック。
【請求項５】
前記ベースボディの数量が１枚であり、前記収納槽及び前記組立孔が周囲に設けられていることを特徴とする請求項１に記載の多用途置物ラック。
【請求項６】
前記収納槽内の上端には、前記磁石を嵌入してから固定させるために用いる爪部が設けられ、
前記磁石は強力磁石であることを特徴とする請求項５に記載の多用途置物ラック。
【考案の詳細な説明】
【技術分野】
【０００１】
本考案は、多用途置物ラックに関するものであり、さらに詳しくは、磁性物質を含む材料へ任意に吸着させることができる多用途置物ラックに関するものである。
【背景技術】
【０００２】
ティッシュケースは、取り出す際非常に便利であるため、一般の消費者に広く受け入れられている。ティッシュケースは、車内又は家の中に置いて便利に使用することができるが、車内の場合、前部座席又は後部座席に座った乗客がティッシュを便利に使用できるように、車内前方のダッシュボード上に置いたり、後方座席の後方の物の載置スペースへ置くことがほとんどである。
【０００３】
また、外観を良くするために、ティッシュケースにティッシュケースカバーを被せることが一般的であるが、ティッシュケースが直接置かれて固定された状態でないため、自動車が走行中にティッシュケースが揺れることがある。自動車の揺れが大きくなりすぎると、ティッシュケースが落下して後部座席の乗客に当たり負傷する虞がある。また、使用する度にティッシュケースの置き場所を探さなければならず、運転に悪影響を与えて非常に危険で、事故が起きる虞もある。この問題点を解決するために、運転手のすぐ横にティッシュケースを置くこともできるが、占有空間が大きくなってしまうという問題点がある。
【０００４】
特開平９−３０１０７９号公報（特許文献１）には、車内に後付け可能なポケットティッシュケースが記載されているが、磁石の収納構造については具体的な開示がない。
【特許文献１】特開平９−３０１０７９号公報
【考案の概要】
【考案が解決しようとする課題】
【０００５】
本考案の主な課題は、磁性物質を含む材料へ任意に吸着させることができ、また、占有空間が小さい多用途置物ラックを提供することにある。
【課題を解決するための手段】
【０００６】
上記課題を解決するために、本考案によれば、ベースボディ、ストッパ部及び磁石を備えた多用途置物ラックであって、前記ベースボディは、周囲に環設された円弧状の側壁により形成された収納部を有し、前記収納部上には、複数の収納槽及び複数の組立孔が設けられ、前記収納槽内の上端には、爪部が設けられ、前記組立孔には、締結部材がそれぞれ配置され、前記締結部材が前記ストッパ部にそれぞれ貫設され、対応するように磁石が配置されて固定され、螺設部材を螺合させることを特徴とする多用途置物ラックが提供される。
【０００７】
前記ストッパ部は、固定板を含み、前記固定板上に設けられた複数の穿設孔に、前記ベースボディ上の前記締結部材を貫設させて前記螺設部材を螺合させることが好ましい。
【０００８】
前記固定板は、Ｌ字状であり、磁性物質を含む材料からなることが好ましい。
【０００９】
前記締結部材はボルトであり、前記螺設部材はナットであり、前記磁石は強力磁石であることが好ましい。
【００１０】
前記ベースボディは、数が１枚であり、前記収納槽及び前記組立孔が周囲に設けられていることが好ましい。
【００１１】
前記収納槽内の上端には、前記磁石を嵌入してから固定させるために用いる爪部が設けられ、前記磁石は強力磁石であることが好ましい。前記磁石は、永久磁石であり、アルニコ磁石、Ｆｅ−Ｃｒ−Ｃｏ系磁石、フェライト磁石、フェライトボンド磁石、希土類磁石、希土類ボンド磁石等を選択して用いることができ、かかる磁石の材料を所望の形状に成形して用いることができる。
【考案の効果】
【００１２】
本考案は、前記の通りの構成からなり、磁性物質を含有する材料に置物ラックを任意に吸着させ、容易に固定させることができるので、車内へのティッシュケース等を容易に固定させることができる。また、固定場所を任意に選択できるので、占有空間を小さくすることができる。
【図面の簡単な説明】
【００１３】
【図１】本考案の一実施形態に係る多用途置物ラックを示す斜視図である。
【図２】本考案の一実施形態に係る多用途置物ラックを示す分解斜視図である。
【図３】本考案の一実施形態に係る多用途置物ラックを示す平面図と、その線Ａ−Ａに沿った断面図及びＢ部分の拡大図である。
【図４】本考案の他の実施形態に係る多用途置物ラックを示す斜視図である。
【図５】本考案の他の実施形態に係る多用途置物ラックを示す分解斜視図である。
【図６】本考案の一実施形態に係る多用途置物ラックを実際に使用するときの状態を示す模式図と、そのＣ部分の拡大図である。
【考案を実施するための形態】
【００１４】
以下、本考案の実施形態について図面に基づいて説明する。なお、これによって本考案が限定されるものではない。
【００１５】
図１〜図３を参照する。図１〜図３に示すように、本考案の一実施形態に係る多用途置物ラックは、少なくともベースボディ１、ストッパ部２及び磁石３から構成される。
【００１６】
ベースボディ１は、長方形状であり、周囲に円弧状の側壁１１が環設されて収納部１１１が形成される。収納部１１１には、複数の収納槽１２及び複数の組立孔１３が設けられている。各収納槽１２内の上端には、磁石３を嵌入してから固定させるために用いる爪部１２１（図３参照）がそれぞれ設けられている。収納槽１２は、ベースボディ１の周囲にそれぞれ設けられている。複数の組立孔１３には、締結部材１３１がそれぞれ嵌入される。締結部材１３１には、螺設部材１４が螺合される。締結部材１３１はボルトであり、螺設部材１４はナットである。
【００１７】
ストッパ部２は、固定板２１を含む。固定板２１は、Ｌ字形状であり、磁性物質を含む材料からなる。固定板２１には、複数の穿設孔２２が設けられ、ベースボディ１に締結部材１３１を貫設させて磁石３を固定し、螺設部材１４を締結させる。
【００１８】
磁石３は、ベースボディ１の収納槽１２内で、ストッパ部２間の対応した箇所に配置された強力磁石である。
【００１９】
図４及び図５を参照する。図４及び図５に示すように、本考案の他の実施形態に係る多用途置物ラックのベースボディ１は、数が１枚であり、複数の収納槽１２及び複数の組立孔１３が周囲に設けられ、収納槽１２内の上端には、磁石３が結合され、嵌合して固定させる爪部１２１が設けられている。磁石３は強力磁石である。ベースボディ１に穿設された複数の組立孔１３に、締結部材１３１を貫設させることにより、様々な場所に螺着させることができる。締結部材１３１はボルトである。
【００２０】
図６を参照する。図６に示すように、本考案の一実施形態に係る多用途置物ラックは、ベースボディ１の収納槽１２の上端に、磁石３を嵌入させる。ストッパ部２には、対応するように磁石３が配置されて固定され、ベースボディ１のストッパ部２間に配置された磁石３を、車体４の天板４１上に吸着させる。この際、ベースボディ１の各収納槽１２内に磁石３が配置され、様々な磁性物質を含んだ材料からなる製品（例えば、ティッシュケース５又はカギ類）を吸着させるが、一般に車内のティッシュケース５を設置する箇所が固定されていなかったり、ユーザから離れた場所に位置したりするため、使用が不便である。
【００２１】
また、ティッシュケース５が固定されていないため、自動車が進行する際に発生する大きな揺れにより、ティッシュケース５が後部座席に座っている乗客に当たり、乗客が負傷する虞がある。そのため、使用する際、ティッシュケース５を探さなければティッシュ５１を取り出して使用することができないので、非常に不便で外観も好ましくなく、運転手が運転する際、危険で事故が発生しやすい。容易に取り出すことができるように、運転席の横に置くこともできるが、占有空間が大きくなる問題が発生する。そのため、本考案の多用途置物ラックの構造は、運転手が車体４内の天板４１上に任意に吸着させることができる上、簡便に取り付けることもできる。さらに、ティッシュ５１が取り出しやすく占有空間が小さい特性を有するため、運転する際の安全性が高い。特に、本考案の多用途置物ラックの構造は、使用範囲が広いため、ユーザは、磁性物質を含んだ様々な物（例えば、車体、家具類又は家電類）へ自在に吸着させることができる。
【００２２】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  ベースボディ
２  ストッパ部
３  磁石
４  車体
５  ティッシュケース
１１  側壁
１２  収納槽
１３  組立孔
１４  螺設部材
２１  固定板
２２  穿設孔
４１  天板
５１  ティッシュ
１１１  収納部
１２１  爪部
１３１  締結部材
【図１】
0003177877.tif 000003
【図２】
0003177877.tif 000004
【図３】
0003177877.tif 000005
【図４】
0003177877.tif 000006
【図５】
0003177877.tif 000007
【図６】
0003177877.tif 000008